(57)【要約】      （修正有）【課題】緊急時などに、負傷者、急病人、身体の不自由な人、寝たきりの高齢者など歩行が困難な人を、簡単かつ安全に、階段や狭いスペースで、移動、搬送をスムーズに行えるように工夫した救助者２名で救護者１名を座った状態で運べる簡易担架を提供する。【解決手段】人体支持部２の両側に肩掛けベルト３を設け、肩掛けベルト３に肩掛けベルト長さ調整具４を設け、人体支持部２の両側に人体固定用ベルト７を設け、人体固定用ベルト７に面テープ８を設け、人体支持部２に取っ手５を４カ所設け、人体支持部２に人体固定用ベルト７を３本設け、人体支持部２に人体支持部補強ベルト６を３本設け、人体支持部２に水はけ用開口部を１カ所設けたことを特徴とする携帯担架１。【選択図】図１
0003177532.tif 000002
【実用新案登録請求の範囲】
【請求項１】
人体支持部（２）の両側に肩掛けベルト（３）を設け、肩掛けベルト（３）に肩掛けベルト長さ調整具（４）を設け、人体支持部（２）の両側に人体固定用ベルト（７）を設け、人体固定用ベルト（７）に面テープ（８）を設け、人体支持部（２）に取っ手（５）を４カ所設け、人体支持部（２）に人体固定用ベルト（７）を３本設け、人体支持部（２）に人体支持部補強ベルト（６）を３本設け、人体支持部（２）に水はけ用開口部（９）を１カ所設けたことを特徴とする携帯担架（１）で、二人で一人を座った状態で運べる簡易担架。
【考案の詳細な説明】
【技術分野】
【０００１】  本考案は、緊急時などに、負傷者、急病人、身体の不自由な人、寝たきりの高齢者など歩行が困難な人を、簡単かつ安全に、階段や狭いスペースで、移動、搬送をスムーズに行えるように工夫した救助者２名で救護者１名を座った状態で運べる簡易担架に関するものである。
【背景技術】
【０００２】  従来、緊急時などに、負傷者、急病人、身体の不自由な人、寝たきりの高齢者など歩行が困難な人を、移動、搬送する一般的な担架は、長いパイプや棒が使われているため、人を運ぶ場合、狭い通路や階段では曲がることが困難であった。
また、未使用時の収納場所の確保も困難であり、さらに乗用車での利用も困難であった。
さらに、緊急時にエレベーターは使えなかった。
狭い奥行のエレベータや狭い階段を通って人を運びたいときなど、人が横たわった状態で運ぶ担架では、移動が困難で、人を運ぶことができなかった。
【先行技術文献】
【特許文献】
【０００３】
【特許文献１】  特開２００９−４８４号公報
【特許文献２】  特開２００３−３８５７５号公報
【特許文献３】  特開２００１−２５８９４０号公報
【特許文献４】  登録実用新案第３１０８１９０号公報
【考案の概要】
【考案が解決しようとする課題】
【０００４】  従来の担架は、棒、あるいは、板が使われているため、人を運ぶ場合、狭い入口、階段の通過、あるいは、狭いエレベーターへの乗り込みが不便であった。
また、不使用時に、長さ分の保管場所を要し、とくに、緊急用に家庭に常時装備するのに不適当であった。
本考案の基本的な課題は、要救護者が横たわる形態の担架では運ぶことが不可能な場所で利用できる担架を提供することである。
同時に収納場所に困らないよう、折畳みが可能で携帯でき、さらには、負傷者などにも負担がかからない構造の担架を提供することである。
従来の横たわる状態で運ぶ担架では、負傷者などを運ぶことがむずかしい場所でも、負傷者などを楽に運ぶことができる担架を提供することである。
【課題を解決するための手段】
【０００５】  人体支持部（２）を設け、人体支持部（２）の両側に肩掛けベルト（３）を設け、肩掛けベルト（３）に肩掛けベルト長さ調整具（４）を設け、人体支持部（２）の両側に人体固定用ベルト（７）を設け、人体固定用ベルト（７）に面テープ（８）を設け、人体支持部（２）に取っ手（５）を４カ所設け、人体支持部（２）に人体固定用ベルト（７）を２本設け、人体攴持部（２）に人体支持部補強ベルト（６）を３本設け、人体支持部（２）に水はけ用開口部（９）を１カ所設けたことを特徴とする携帯担架（１）で、二人で一人を座った状態で運べる簡易担架。
【考案の効果】
【０００６】  負傷者などを奥行の狭いエレベーターや狭い階段を通って運ぶことができる携帯担架を提供するために、次のような構造の携帯担架である。
負傷者など、一名を座った状態で、二名で運ぶことができる携帯担架である。
安定感があり、負傷者などの心理的な不安を除くことができる。
携帯担架自体が軽量で利用者に負担がかかりやすい、首筋、肩口、背中を痛めることもなく、負担を軽減することができる携帯担架である。
前記の利用者の二人に負担がかからないように、負傷者などの体重をしっかり受け止められるように、利用者の肩口から背部分にあたる部分を幅広し、重さを分散する構造の携帯担架である。
未使用時は、折り畳んで小さくなり、スペースをとらず、軽量で、持ち運びも便利である。
【図面の簡単な説明】
【０００７】
【図１】  本考案の側面図である。
【図２】  本考案の斜視図である。
【図３】  本考案の肩掛けベルトを除いて示した人体支持部の底面図である。
【図４】  本考案の使用状態を示した説明図である。
【考案を実施するための形態】
【０００８】  人体支持部（２）の両側に肩掛けベルト（３）を設ける。
肩掛けベルト（３）に肩掛けベルト長さ調整具（４）を設ける。
人体支持部（２）の両側に人体固定用ベルト（７）を設ける。
人体固定用ベルト（７）に面テープ（８）を設ける。
人体支持部（２）に取っ手（５）を４カ所設ける。
人体支持部（２）に人体固定用ベルト（７）を２本設ける。
人体支持部（２）に人体支持部補強ベルト（６）を３本設ける。
人体支持部（２）に水はけ用開口部（９）を１カ所設けたことを特徴とする携帯担架（１）で、二人で一人を座った状態で運べる簡易担架である。
本考案の携帯担架（１）は、基本的には、布製で作成でき、折畳みが可能な素材で作成するが、それに限定されることはない。
肩掛けベルト（３）は人体支持部（２）と接合するか、取り外し可能な形状の物など、それに限定されることはない。
人体支持部（２）に人体支持部補強ベルト（６）を設けなくてもよい。
【０００９】  説明図では、布製の携帯担架（１）で説明しているが、布製の他、メッシュ状の布素材でも折り畳むことができる素材であれば使用できる。
携帯担架（１）のスタイル、デザインは適宜変化を付けることができることは言うまでもない。
【００１０】  図１の携蕃担架（１）は、両サイドに幅広の生地を有し、ダーツが入る形状である。
座面の中央部に、くり抜かれた水はけ用開口部（９）を設け、簡易担架（１）に人を乗せて湯船などの入浴時にも水はけ用開口部（９）より水がはけるように設計している。
よって、携帯担架（１）の素材は水切れの良いポリエステル等の素材で、水分を吸収して重くならないものとする。
【産業上の利用可能性】
【００１１】  産業上の刹用可能性は、一般的には緊急時に、従来の横たわる形状の担架で移動不可能な場所で負傷者などを座った状態で運ぶことであるが、介護用としても応用可能な携帯担架（１）を提供することである。
【符号の説明】
【００１２】１  携帯担架
２  人体支持部
３  肩掛けベルト
４  肩掛けベルト長さ調整具
５  取っ手
６  人体支持部補強ベルト
７  人体固定用ベルト
８  面テープ
９  水はけ用開口部
【図１】
0003177532.tif 000003
【図２】
0003177532.tif 000004
【図３】
0003177532.tif 000005
【図４】
0003177532.tif 000006